(57)【要約】【課題】  複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁先端部の吐出孔に対峙する部位の面外変形を許容するように構成された圧縮機であって、吐出弁の振動に起因して特定周波数の振動が顕著になるのが防止された圧縮機を提供する。【解決手段】  複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容し、吐出弁の面外変形可能な部位の平面形状が吐出弁毎に又は複数の吐出弁のグループ毎に異なる。【選択図】  図２
2005140018.tif 000002
【特許請求の範囲】
【請求項１】
複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容し、吐出弁の面外変形可能な部位の平面形状が吐出弁毎に又は複数の吐出弁のグループ毎に異なることを特徴とする圧縮機。
【請求項２】
複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容し、吐出弁の面外変形可能な部位の断面形状が吐出弁毎に又は複数の吐出弁のグループ毎に異なることを特徴とする圧縮機。
【請求項３】
複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容し、吐出孔の形状及び／又は寸法が吐出孔毎に又は複数の吐出孔のグループ毎に異なることを特徴とする圧縮機。
【請求項４】
複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容し、吐出弁の面外変形可能な部位の先端と吐出孔との吐出弁長手方向の相対位置が、吐出弁毎に又は複数の吐出弁のグループ毎に異なることを特徴とする圧縮機。
【発明の詳細な説明】
【技術分野】
【０００１】
本発明は、複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容するように構成された圧縮機に関するものである。
【背景技術】
【０００２】
複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容するように構成された圧縮機が特許文献１等に開示されている。
特許文献１等に開示された従来の圧縮機においては、吐出弁の面外変形可能な部位の平面形状が全ての吐出弁で同一であり、また吐出孔の形状寸法も全ての吐出孔で同一である。
【特許文献１】実開平５−７３２７６
【発明の開示】
【発明が解決しようとする課題】
【０００３】
特許文献１等に開示された従来の圧縮機には、吐出弁の面外変形可能な部位の先端が弁板から離れた後開度規制用のリテーナに当接するまでの間の、前記部位の振動特性、吐出孔から吐出する高圧ガスが前記部位に印加する外力特性が全ての吐出弁で同一になるので、前記部位が同一の周波数で振動し、当該周波数の振動、ガス脈動が顕著になり、近傍機器に悪影響を与えるという問題がある。
【０００４】
本発明は上記問題に鑑みてなされたものであり、複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁先端部の吐出孔に対峙する部位の面外変形を許容するように構成された圧縮機であって、吐出弁の振動に起因して特定周波数の振動、ガス脈動が顕著になるのが防止された圧縮機を提供することを目的とする。
【課題を解決するための手段】
【０００５】
上記課題を解決するために、本発明においては、複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容し、吐出弁の面外変形可能な部位の平面形状が吐出弁毎に又は複数の吐出弁のグループ毎に異なることを特徴とする圧縮機を提供する。
また本発明においては、複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容し、吐出弁の面外変形可能な部位の断面形状が吐出弁毎に又は複数の吐出弁のグループ毎に異なることを特徴とする圧縮機を提供する。
上記本発明に係る圧縮機においては、吐出弁の面外変形可能な部位の平面形状又は断面形状が、吐出弁毎に或いは複数の吐出弁のグループ毎に異なるので、前記部位の先端が弁板から離れた後開度規制用のリテーナに当接するまでの間の、固有周波数、振動モード等の前記部位の振動特性は吐出弁毎に或いは複数の吐出弁のグループ毎に異なり、前記部位に顕著に発現する振動の周波数は、吐出弁毎に或いは複数の吐出弁のグループ毎に異なる。この結果、吐出弁の振動に起因して特定周波数の振動、ガス脈動が顕著になるのが防止される。
【０００６】
本発明においては、複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容し、吐出孔の形状及び／又は寸法が吐出孔毎に異に又は複数の吐出孔のグループ毎に異なることを特徴とする圧縮機を提供する。
本発明に係る圧縮機においては、吐出孔の形状及び／又は寸法が、吐出弁毎に或いは複数の吐出弁のグループ毎に異なるので、吐出弁の面外変形可能な部位の先端が弁板から離れた後開度規制用のリテーナに当接するまでの間の、前記部位近傍の吐出ガスの流動状態ひいては吐出ガスが前記部位に印加する変動外力の周波数は吐出孔毎に或いは複数の吐出孔のグループ毎に異なり、前記部位に顕著に発現する振動の周波数は吐出孔毎に或いは複数の吐出孔のグループ毎に異なる。この結果、吐出弁の振動に起因して特定周波数の振動、ガス脈動が顕著になるのが防止される。
【０００７】
本発明においては、複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容し、吐出弁の面外変形可能な部位の先端と吐出孔との吐出弁長手方向の相対位置が、吐出弁毎に又は複数の吐出弁のグループ毎に異なることを特徴とする圧縮機を提供する。
上記本発明に係る圧縮機においては、吐出弁先端と吐出孔との吐出弁長手方向の相対位置が、吐出弁毎に或いは複数の吐出弁のグループ毎に異なるので、吐出弁の面外変形可能な部位の先端が弁板から離れた後開度規制用のリテーナに当接するまでの間の、前記部位近傍の吐出ガスの流動状態ひいては吐出ガスが前記部位に印加する変動外力の周波数は吐出弁毎に或いは複数の吐出弁のグループ毎に異なり、前記部位に顕著に発現する振動の周波数は吐出弁毎に或いは複数の吐出弁のグループ毎に異なる。この結果、吐出弁の振動に起因して特定周波数の振動が顕著になるのが防止される。
【発明の効果】
【０００８】
本発明に係る圧縮機においては、吐出弁の面外変形可能な部位の平面形状又は断面形状が、吐出弁毎に或いは複数の吐出弁のグループ毎に異なるので、前記部位の先端が弁板から離れた後開度規制用のリテーナに当接するまでの間の、固有周波数、振動モード等の前記部位の振動特性は吐出弁毎に或いは複数の吐出弁のグループ毎に異なり、前記部位に顕著に発現する振動の周波数は、吐出弁毎に或いは複数の吐出弁のグループ毎に異なる。この結果、吐出弁の振動に起因して特定周波数の振動、ガス脈動が顕著になるのが防止される。
【発明を実施するための最良の形態】
【０００９】
本発明の実施例に係る斜板式圧縮機を説明する。
【実施例１】
【００１０】
図１、２に示すように、柱状のシリンダブロック１の両端を覆って、フロントハウジング２とシリンダヘッド３とが配設されている。フロントハウジング２の内部にクランク室４が形成され、シリンダブロック１の内部に周方向に互いに間隔を隔てて複数のシリンダボア５が形成されている。クランク室４内に、斜板６が配設されている。斜板６の中心に駆動軸７が挿通されている。駆動軸７は、図示しないベアリングを介して、フロントハウジング２とシリンダブロック１とに回転可能に支持されている。
駆動軸７に、ローター８が固定されている。ローター８は、スラストベアリング９を介してフロントハウジング２に支持されている。
斜板６は、リンク機構１０を介して、駆動軸７に対する傾角変動可能に、且つローター８に対する駆動軸７回りの相対回転不能に、ローター８に連結されている。
【００１１】
斜板６に、シュー１１を介してピストン１２が係合している。ピストン１２は、駆動軸７と平行に延在し、シリンダボア５に往復摺動可能に挿入されている。
【００１２】
シリンダヘッド３の内部に、吸入室１３と吐出室１４とが画成されている。シリンダヘッド３に形成された吸入ポート３ａが吸入室１３に連通している。シリンダヘッド３に形成された図示しない吐出ポートが吐出室１４に連通している。
シリンダブロック１とシリンダヘッド３とに挟持されてガスケット１５と弁板１６とが配設されている。弁板１６には、シリンダボア５と吸入室１３とに連通する円形の吸入孔１６ａと、シリンダボア５と吐出室１４とに連通する円形の吐出孔１６ｂとが形成されている。弁板１５は、吸入室１３から離隔する側で吸入孔１６ａを開閉する吸入弁１７と、吐出室１４側で吐出孔１６ｂを開閉する吐出弁１８とを装備している。吸入弁１７、吐出弁１８は、内外の圧力差により面外方向へ弾性変形して吸入孔１６ａ、吐出孔１６ｂを開閉する帯板状のリード弁として構成されている。
【００１３】
吐出弁１８を間に挟んで弁板１６に対峙し吐出弁１８の開度を規制するリテーナ１９が、吐出室１４内に配設されている。リテーナ１９はシリンダブロック１にボルト固定されている。リテーナ１９は、弁板１６と協働して部吐出弁１８の基部を挟持固定すると共に、吐出弁１８の吐出孔１６ｂに対峙する部位の面外変形を許容している。
吐出弁１８の面外変形可能な部位の平面形状は、所定数の吐出弁１８では広幅に、残余の吐出弁１８では狭幅に設定されている。吐出孔１６ｂの径は全ての吐出孔１６ｂで同一値に設定されている。
【００１４】
本実施例に係る斜板式圧縮機の作動を以下に説明する。
図示しない外部駆動源によって駆動軸７が回転駆動され、駆動軸７の回転に伴って斜板６が回転する。斜板６の回転に伴って、ピストン１２がシリンダボア５内を往復移動する。ピストン１２の往復移動に伴い、外部冷凍回路から吸入ポート３ａを通って吸入室１３へ流入した冷媒ガスが、吸入孔１６ａを通ってボア５内に吸入され、ボア５内で圧縮される。ボア５内の冷媒ガス圧が上昇し、吐出弁１８の面外変形可能な部位の先端が弁板１６から離れて吐出孔１６ｂが開く。前記部位の先端がリテーナ１９に当接することにより、吐出弁１８の開度が規制される。ボア５内の加圧冷媒ガスは、吐出弁１８の面外変形した部位に案内されて吐出室１４内へ吐出し、吐出室１４から図示しない吐出ポートを通って外部冷凍回路へ流出する。
【００１５】
本実施例に係る斜板式圧縮機においては、吐出弁１８の面外変形可能な部位の平面形状が、所定数の吐出弁１８では広幅に、残余の吐出弁１８では狭幅に設定されており、前記部位の平面形状が複数の吐出弁１８のグループ毎に異なるので、前記部位の先端が弁板１６から離れた後開度規制用のリテーナ１９に当接するまでの間の、固有周波数、振動モード等の前記部位の振動特性は複数の吐出弁１８のグループ毎に異なり、前記部位に顕著に発現する振動の周波数は、複数の吐出弁１８のグループ毎に異なる。この結果、吐出弁１８の振動に起因して特定周波数の振動、ガス脈動が顕著になるのが防止される。
吐出弁１８の面外変形可能な部位の平面形状を、３つ以上のグループ毎に異ならしめても良い。
グループの形成に、例えば一つおきにピックアップした吐出弁１８で一つのグループを形成し、残余の吐出弁１８でもう一つグループを形成する等の規則性を持たせる必要は無い。
吐出弁１８の面外変形可能な部位全体の平面形状を異ならしめても良く、或いは部分的に、例えば前記部位の先端部の平面形状のみ、固定端近傍部の平面形状のみを異ならしめても良い。
【００１６】
吐出弁１８の面外変形可能な部位の平面形状を、吐出弁１８毎に異ならしめても良い。
吐出弁１８の面外変形可能な部位の平面形状が吐出弁１８毎に異なるので、前記部位の先端が弁板１６から離れた後開度規制用のリテーナ１９に当接するまでの間の、固有周波数、振動モード等の前記部位の振動特性は吐出弁１８毎に異なり、前記部位に顕著に発現する振動の周波数は、吐出弁１８毎に異なる。この結果、吐出弁１８の振動に起因して特定周波数の振動、ガス脈動が顕著になるのが防止される。
【実施例２】
【００１７】
吐出弁１８の面外変形可能な部位の平面形状を吐出弁１８毎に又は複数の吐出弁１８のグループ毎に異ならしめるのに代えて、図３に示すように、吐出弁１８の面外変形可能な部位の横断面形状を吐出弁１８毎に又は複数の吐出弁１８のグループ毎に異ならしめても良い。
吐出弁１８の面外変形可能な部位の横断面形状が吐出弁１８毎に又は複数の吐出弁１８のグループ毎に異なるので、前記部位の先端が弁板１６から離れた後開度規制用のリテーナ１９に当接するまでの間の、固有周波数、振動モード等の前記部位の振動特性は吐出弁１８毎に又は複数の吐出弁１８のグループ毎に異なり、前記部位に顕著に発現する振動の周波数は、吐出弁１８毎に又は複数の吐出弁１８のグループ毎に異なる。この結果、吐出弁１８の振動に起因して特定周波数の振動、ガス脈動が顕著になるのが防止される。
吐出弁１８の面外変形可能な部位の、長手方向断面形状を吐出弁１８毎に又は複数の吐出弁１８のグループ毎に異ならしめても良い。
吐出弁１８の面外変形可能な部位全体の断面形状を異ならしめても良く、或いは部分的に、例えば前記部位の先端部の断面形状のみ、固定端近傍部の断面形状のみを異ならしめても良い。
グループの形成に規則性を持たせる必要は無い。
【実施例３】
【００１８】
吐出弁１８の面外変形可能な部位の平面形状を吐出弁１８毎に又は複数の吐出弁１８のグループ毎に異ならしめるのに代えて、図４に示すように、吐出弁１８の面外変形可能な部位の平面形状は全ての吐出弁１８で同一とし、吐出孔１６ｂの径を所定数の吐出孔１６ｂでは大きく、残余の吐出孔１６ｂでは小さく設定しても良い。
吐出孔１６ｂの寸法が複数の吐出孔１６ｂのグループ毎に異なるので、吐出弁１８の面外変形可能な部位の先端が弁板１６から離れた後開度規制用のリテーナ１９に当接するまでの間の、前記部位近傍の吐出ガスの流動状態ひいては前記部位に印加される変動外力の周波数は複数の吐出孔１６ｂのグループ毎に異なり、前記部位に顕著に発現する振動の周波数は複数の吐出孔１６ｂのグループ毎に異なる。この結果、吐出弁１８の振動に起因して特定周波数の振動、ガス脈動が顕著になるのが防止される。
吐出孔１６ｂの径を、３つ以上のグループ毎に異ならしめても良い。
吐出孔１６ｂの径を、吐出孔１６ｂ毎に異ならしめても良い。
吐出孔１６ｂの形状は円形に限定されない。例えば楕円形の吐出孔の寸法を異ならしめても良い。
グループの形成に規則性を持たせる必要は無い。
【００１９】
吐出孔１６ｂの形状を、吐出孔１６ｂ毎に又は複数の吐出孔１６ｂのグループ毎に、例えば円形、楕円形、ハート形等に異ならしめても良い。
吐出孔１６ｂの形状が吐出孔１６ｂ毎に又は複数の吐出孔１６ｂのグループごとに異なるので、吐出弁１８の面外変形可能な部位の先端が弁板１６から離れた後開度規制用のリテーナ１９に当接するまでの間の、前記部位近傍の吐出ガスの流動状態ひいては前記部位に印加される変動外力の周波数は複数の吐出孔１６ｂグループ毎に異なり、前記部位に顕著に発現する振動の周波数は複数の吐出孔１６ｂのグループ毎に異なる。この結果、吐出弁１８の振動に起因して特定周波数の振動、ガス脈動が顕著になるのが防止される。
グループの形成に規則性を持たせる必要は無い。
【実施例４】
【００２０】
吐出弁１８の面外変形可能な部位の平面形状を吐出弁１８毎に又は複数の吐出弁１８のグループ毎に異ならしめるのに代えて、図５に示すように、吐出弁１８の面外変形可能な部位の先端と吐出孔１６ｂとの吐出弁１８長手方向の相対位置を、吐出弁１８毎に又は複数の吐出弁１８のグループに異ならしめても良い。
吐出弁１８の面外変形可能な部位の先端と吐出孔１６ｂとの吐出弁１８長手方向の相対位置が、吐出弁１８毎に或いは複数の吐出弁１８のグループ毎に異なるので、前記部位の先端が弁板１６から離れた後開度規制用のリテーナに当接するまでの間の、吐出弁１８の前記部位近傍の吐出ガスの流動状態ひいては吐出ガスが吐出弁１８の前記部位に印加する変動外力の周波数は吐出弁１８毎に或いは複数の吐出弁１８のグループ毎に異なり、吐出弁１８の前記部位に顕著に発現する振動の周波数は吐出弁１８毎に或いは複数の吐出弁１８のグループ毎に異なる。この結果、吐出弁１８の振動に起因して特定周波数の振動、ガス脈動が顕著になるのが防止される。
グループの形成に規則性を持たせる必要は無い。
【産業上の利用可能性】
【００２１】
本発明は斜板式圧縮機に限らず、複数のシリンダボアと、シリンダボア内で往復移動するピストンと、シリンダボア内の圧縮流体を外部へ導く複数の吐出孔が形成された弁板と、複数の吐出孔を開閉する複数の帯板状の吐出弁と、複数の吐出弁の開度を規制する複数のリテーナとを備え、リテーナは弁板と協働して吐出弁の基部を挟持固定すると共に吐出弁の吐出孔に対峙する部位の面外変形を許容するように構成された種々の往復動圧縮機に適用可能である。
【図面の簡単な説明】
【００２２】
【図１】本発明の第１実施例に係る斜板式圧縮機の断面図である。
【図２】図１のII−II矢視図である。
【図３】本発明の第２実施例に係る斜板式圧縮機の部分断面図である。
【図４】本発明の第３実施例に係る斜板式圧縮機の図２に相当する図である。
【図５】本発明の第４実施例に係る斜板式圧縮機の図２に相当する図である。
【符号の説明】
【００２３】
１  シリンダブロック
２  ハウジング
３  シリンダヘッド
４  クランク室
５  シリンダボア
６  斜板
１２  ピストン
１３  吸入室
１４  吐出室
１６  弁板
１６ａ  吸入孔
１６ｂ  吐出孔
１８  吐出弁
１９  リテーナ
【図１】
2005140018.tif 000003
【図２】
2005140018.tif 000004
【図３】
2005140018.tif 000005
【図４】
2005140018.tif 000006
【図５】
2005140018.tif 000007
【手続補正書】
【提出日】平成16年2月17日(2004.2.17)
【手続補正１】
【補正対象書類名】明細書
【補正対象項目名】００１２
【補正方法】変更
【補正の内容】
【００１２】
シリンダヘッド３の内部に、吸入室１３と吐出室１４とが画成されている。シリンダヘッド３に形成された吸入ポート３ａが吸入室１３に連通している。シリンダヘッド３に形成された図示しない吐出ポートが吐出室１４に連通している。
シリンダブロック１とシリンダヘッド３とに挟持されてガスケット１５と弁板１６とが配設されている。弁板１６には、シリンダボア５と吸入室１３とに連通する円形の吸入孔１６ａと、シリンダボア５と吐出室１４とに連通する円形の吐出孔１６ｂとが形成されている。弁板１６は、吸入室１３から隔離する側で吸入孔１６ａを開閉する吸入弁１７と、吐出室１４側で吐出孔１６ｂを開閉する吐出弁１８とを装備している。吸入弁１７、吐出弁１８は、内外の圧力差により面外方向へ弾性変形して吸入孔１６ａ、吐出孔１６ｂを開閉する帯板状のリード弁として構成されている。
【手続補正２】
【補正対象書類名】明細書
【補正対象項目名】００１３
【補正方法】変更
【補正の内容】
【００１３】
吐出弁１８を間に挟んで弁板１６に対峠し吐出弁１８の開度を規制するリテーナ１９が、吐出室１４内に配設されている。リテーナ１９は弁板１６にボルト固定されている。リテーナ１９は、弁板１６と協働して吐出弁１８の基部を挟持固定すると共に、吐出弁１８の吐出孔１６ｂに対峠する部位の面外変形を許容している。
吐出弁１８の面外変形可能な部位の平面形状は、所定数の吐出弁１８では広幅に、残余の吐出弁１８では狭幅に設定されている。吐出孔１６ｂの径は全ての吐出孔１６ｂで同一値に設定されている。